(57)【特許請求の範囲】
【請求項１】
Ａ成分としての臭素酸塩と、
Ｂ成分としての溶剤と、
を含有する毛髪処理剤であって、
毛髪処理剤全量に対する前記Ｂ成分の配合量の比率が０．００１〜１０重量％であるとともに、
Ｃ成分としての１−ヒドロキシエタン−１，１−ジホスホン酸又はその塩を含有し、
前記Ｂ成分が１、３−ブチレングリコールであることを特徴とする毛髪処理剤。
【請求項２】
毛髪処理剤全量に対する前記Ｃ成分の配合量の比率が０．００１〜１０重量％であることを特徴とする前記請求項１に記載の毛髪処理剤。
【請求項３】
前記Ｂ成分の配合量と、前記Ｃ成分の配合量との比率Ｃ：Ｂが、１：０．５〜１：１００の範囲にあることを特徴とする前記請求項１又は２に記載の毛髪処理剤。
【請求項４】
ＰＨが３〜９であることを特徴とする前記請求項１〜３のいずれかに記載の毛髪処理剤。
【請求項５】
還元剤またはアルカリ剤を含有する第１剤と、
前記請求項１〜４のいずれかに記載の毛髪処理剤を含有する第２剤と、から構成されることを特徴とする毛髪処理用品。
【発明の詳細な説明】
【０００１】
【発明の属する技術分野】
本発明は、臭素酸塩を含有する毛髪処理剤、及びその毛髪処理剤を第２剤として備える毛髪処理用品に関する。
【０００２】
【従来の技術】
従来より、臭素酸塩を含有する毛髪処理剤は、パーマネントウェーブ処理又は縮毛矯正処理において、毛髪の形態を固定するために用いられてきた。
つまり、パーマネントウェーブ処理又は縮毛矯正処理は、▲１▼還元剤を含有するパーマネントウェーブ用剤又は縮毛矯正剤（第１剤）を毛髪に塗布して毛髪のジスルフィド結合を開裂させることにより、毛髪を可塑性を帯びた状態にし、▲２▼毛髪を所望の形状（例えば、ウェーブ、またはストレート）に整え、▲３▼毛髪に、ジスルフィド結合を再結合させる作用を有する酸化剤を配合した第２剤を塗布し、毛髪を前記所望の形態に固定するという手順で行われるが、酸化剤である臭素酸塩を含有する毛髪処理剤は、前記第２剤として使用されてきた。
【０００３】
そして、この毛髪処理剤では、少量の溶剤を配合することによって、毛髪処理剤の毛髪への浸透を促進させ、上記毛髪の形態を固定する効果を高めることが行われてきた。
【０００４】
【発明が解決しようとする課題】
しかし、溶剤を配合された毛髪処理剤は、酸化剤により酸化されるために、経時的に着色し、製品の外観を損なうという問題があった。
本発明は以上の点に鑑みなされたものであり、経時的な着色の生じない毛髪処理剤、及び毛髪処理用品を提供することを目的とする。
【０００５】
【課題を解決するための手段及び発明の効果】
（１）請求項１の発明は、
Ａ成分としての臭素酸塩と、Ｂ成分としての溶剤と、を含有する毛髪処理剤であって、毛髪処理剤全量に対する前記Ｂ成分の配合量の比率が０．００１〜１０重量％であるとともに、Ｃ成分としての１−ヒドロキシエタン−１，１−ジホスホン酸又はその塩を含有し、前記Ｂ成分が１、３−ブチレングリコールであることを特徴とする毛髪処理剤を要旨とする。
【０００６】
本発明の毛髪処理剤は、１−ヒドロキシエタン−１，１−ジホスホン酸又はその塩（Ｃ成分）を含有することにより、経時的な着色が生じにくいと言う特長を有する。尚、その塩としては、例えば、四ナトリウム塩が用いられる。
尚、Ｃ成分のどのような作用により上記効果が生じるのかは必ずしも明らかではないが、例えば、Ｃ成分がＢ成分の酸化を防止することにより、着色が生じにくくなることが考えられる。
【０００７】
また、この毛髪処理剤は、着色の原因と成り易いＢ成分（溶剤；１、３−ブチレングリコール）を含有するが、その濃度が１０重量％以下であるため、Ｃ成分の添加により、経時的な着色を押さえることができる。
つまり、この毛髪処理剤は、例えば、パーマネントウェーブ用第２剤、縮毛矯正用第２剤として使用した場合に、Ｃ成分を含有することと、溶剤（Ｂ成分）の濃度が１０重量％以下であることとが相まって、経時的な着色を防止することができる。
【０００８】
従って、この毛髪処理剤は、例えば、長期間保管した場合でも、着色により製品の外観が損なわれることがない。
また、本発明の毛髪処理剤は、Ｂ成分を０．００１重量％以上含有することにより、例えば、十分なウェーブ力やストレート効果を有する。
また、本発明の毛髪処理剤は、Ｂ成分として１、３−ブチレングリコールを用いることにより、パーマネントウェーブ効果や縮毛矯正効果が一層高い。
【０００９】
更に、この毛髪処理剤は、Ｂ成分の配合量が１０重量％以下であることにより、ウェーブ力やストレート効果を奏するＡ成分の濃度が相対的に低くなることがないので、例えば、ウェーブ力やストレート効果が低下することがない。
尚、この毛髪処理剤は、パーマネントウェーブ用第２剤、縮毛矯正用第２剤として、以下のように使用することができる。
【００１０】
即ち、還元剤を含有するパーマネントウェーブ用剤又は縮毛矯正剤（第１剤）を毛髪に塗布することによって、毛髪のジスルフィド結合を開裂させて毛髪を可塑性を帯びた状態にし、次に、所望の形状（例えば、ウェーブ、またはストレート）に整えた毛髪に、本発明の毛髪処理剤（第２剤）を塗布すると、臭素酸塩（Ａ成分）の作用によりジスルフィド結合が再結合し、毛髪は前記所望の形態に固定される（パーマネントウェーブ処理又は縮毛矯正処理が行われる）。
【００１１】
また、この毛髪処理剤は、例えば、頭髪用セット剤等として用いることができる。
・前記臭素酸塩としては、例えば、ナトリウム塩やカリウム塩が挙げられる。
臭素酸塩の配合量は、例えば、０．１〜２０重量％とすることができ、パーマネントウェーブ用剤や縮毛矯正剤の再酸化剤として使用する場合は、３〜１０重量％配合するのが望ましい。３重量％未満では、酸化作用が充分でなく、毛髪損傷を引きおこす原因となり、１０重量％を越えてもそれ以上ウェーブ力やストレート効果が上がらない。
【００１２】
・本発明の毛髪処理剤には、その他の成分として、例えば、必要に応じて高級アルコール、シリコーンやトリグリセライド等の油分、界面活性剤、高分子物質、酸やアルカリなどのｐＨ調整剤、金属封鎖剤、アミノ酸、蛋白質加水分解物、香料、防腐剤、抗炎症剤、着色料、サンスクリーン剤、ビタミン剤、噴射剤等を配合してもよい。
【００１３】
・本発明の毛髪処理剤の剤型としては、例えば、液状、泡状、クリーム状、ゲル状やワックス状が挙げられる。
（２）請求項２の発明は、
毛髪処理剤全量に対する前記Ｃ成分の配合量の比率が０．００１〜１０重量％であることを特徴とする前記請求項１に記載の毛髪処理剤を要旨とする。
【００１４】
本発明の毛髪処理剤は、毛髪処理剤全量に対する前記Ｃ成分の配合量が、０．００１重量％以上であることにより、毛髪処理剤の経時的な着色を防止する効果が一層高く、また、Ｃ成分の配合量が１０重量％以下であることにより、パーマネントウェーブ効果や縮毛矯正効果が阻害されることがない。
【００１５】
・前記Ｃ成分の配合量は、特に、０．０１重量％以上であることが、毛髪処理剤の経時的な着色を防止する効果において一層望ましく、また、５重量％以下であることが、パーマネントウェーブ効果や縮毛矯正効果が一層阻害され難いので望ましい。
（３）請求項３の発明は、
前記Ｂ成分の配合量と、前記Ｃ成分の配合量との比率Ｃ：Ｂが、１：０．５〜１：１００の範囲にあることを特徴とする前記請求項１又は２に記載の毛髪処理剤を要旨とする。
【００１６】
本発明の毛髪処理剤は、Ｂ成分の配合量と、Ｃ成分の配合量との比率Ｃ：Ｂが、１：０．５〜１：１００の範囲にあることにより、毛髪処理剤の着色防止効果において特に優れている。
更に、Ｂ成分の配合量と、Ｃ成分の配合量との比率Ｃ：Ｂが、１：１〜１：５０の範囲にある場合には、毛髪処理剤の着色防止効果において一層優れている。
（４）請求項４の発明は、
ＰＨが３〜９であることを特徴とする前記請求項１〜３のいずれかに記載の毛髪処理剤を要旨とする。
【００１７】
本発明の毛髪処理剤は、ＰＨが３〜９であることにより、パーマネントウェーブ効果や縮毛矯正効果が特に高いという特長を有する。
更に、この毛髪処理剤のＰＨは、パーマネントウェーブ効果や縮毛矯正効果の点から、５〜７の範囲にあることが一層好ましい。
【００２０】
（５）請求項５の発明は、
還元剤またはアルカリ剤を含有する第１剤と、前記請求項１〜４のいずれかに記載の毛髪処理剤を含有する第２剤と、から構成されることを特徴とする毛髪処理用品を要旨とする。
【００２１】
本発明の毛髪処理用品は、例えば、前記第１剤を、パーマネントウェーブ用剤とし、毛髪処理剤をパーマネントウェーブ用第２剤とすることにより、パーマネントウェーブ用品として使用することができる。
また、この毛髪処理用品は、例えば、前記第１剤を、縮毛矯正剤とし、毛髪処理剤を縮毛矯正用第２剤とすることにより、縮毛矯正用品として使用することができる。
【００２２】
つまり、この毛髪処理用品は、まず、第１剤（パーマネントウェーブ用剤又は縮毛矯正剤）を毛髪に塗布して毛髪を可塑性を帯びた状態にし、次に、所望の形状（例えば、ウェーブ、またはストレート）に整えた毛髪に、毛髪処理剤（パーマネントウェーブ用第２剤又は縮毛矯正用第２剤）を塗布することにより、毛髪を前記所望の形態に固定する（パーマネントウェーブ処理、又は縮毛矯正処理を行う）ものである。
【００２３】
特に、この毛髪処理用品は、毛髪処理剤として、前記請求項１〜５のいずれかに記載されたものを有することにより、製品（毛髪処理剤）の着色が生じず、外観が損なわれることがないという特長を有する。
【００２４】
【発明の実施の形態】
以下に本発明の毛髪処理剤（例えば、縮毛矯正用第２剤、パーマネントウェーブ用第２剤）、毛髪処理用品（例えば、縮毛矯正用品、パーマネントウェーブ用品）の実施の形態の例（実施例）を説明する。
【００２５】
ａ）まず、実施例１〜１３、及び比較例１〜２で製造した毛髪処理剤、毛髪処理用品について説明する。
（実施例１）
表１に記載の各成分を、それぞれ対応する比率で混合することにより、縮毛矯正用第２剤（毛髪処理剤）を調製した。尚、表１における数値の単位は重量％である。
【００２６】
【表１】
0004851024.tif 000002
【００２７】
また、表２に記載の各成分を、それぞれ対応する比率で混合することにより、縮毛矯正用第１剤を調製した。
【００２８】
【表２】
0004851024.tif 000003
【００２９】
尚、表２におけるモノエタノールアミンの配合量は、ＰＨを９．０とする量とする。
そして、縮毛矯正用第２剤と縮毛矯正用第１剤との組み合わせを、縮毛矯正用品（毛髪処理用品）とした。
【００３０】
尚、上記表１には、Ｂ成分の配合量と前記Ｃ成分の配合量との比率（Ｂ／Ｃ比）、及び毛髪処理剤のＰＨを併せて示す。尚、ＰＨはリン酸水素２ナトリウムとリン酸を用いて調整した。
（実施例２）
上記表１に記載の各成分を、それぞれ対応する比率で混合することにより、縮毛矯正用第２剤（毛髪処理剤）を調製した。
【００３１】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例３）
上記表１に記載の各成分を、それぞれ対応する比率で混合することにより、縮毛矯正用第２剤（毛髪処理剤）を調製した。
【００３２】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例４）
上記表１に記載の各成分を、それぞれ対応する比率で混合することにより、縮毛矯正用第２剤（毛髪処理剤）を調製した。
【００３３】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例５）
上記表１に記載の各成分を、それぞれ対応する比率で混合することにより、縮毛矯正用第２剤（毛髪処理剤）を調製した。
【００３４】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例６）
上記表１に記載の各成分を、それぞれ対応する比率で混合することにより、縮毛矯正用第２剤（毛髪処理剤）を調製した。
【００３５】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例７）
表３に記載の各成分を、それぞれ対応する比率で混合することにより、縮毛矯正用第２剤（毛髪処理剤）を調製した。尚、表３における数値の単位は重量％である。
【００３６】
【表３】
0004851024.tif 000004
【００３７】
尚、上記表３には、Ｂ成分の配合量と前記Ｃ成分の配合量との比率（Ｂ／Ｃ比）、及び毛髪処理剤のＰＨを併せて示す。尚、ＰＨはリン酸水素２ナトリウムとリン酸を用いて調整した。
また、縮毛矯正用第１剤を、前記実施例１の縮毛矯正用第１剤と同様に調製した。
【００３８】
そして、縮毛矯正用第２剤と縮毛矯正用第１剤との組み合わせを、縮毛矯正用品（毛髪処理用品）とした。
（実施例８）
上記表３に記載の各成分を、それぞれ対応する比率で混合することにより、縮毛矯正用第２剤（毛髪処理剤）を調製した。
【００３９】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例９）
上記表３に記載の各成分を、それぞれ対応する比率で混合することにより、縮毛矯正用第２剤（毛髪処理剤）を調製した。
【００４０】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例１０）
上記表３に記載の各成分を、それぞれ対応する比率で混合することにより、縮毛矯正用第２剤（毛髪処理剤）を調製した。
【００４１】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例１１）
上記表３に記載の各成分を、それぞれ対応する比率で混合することにより、縮毛矯正用第２剤（毛髪処理剤）を調製した。
【００４２】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例１２）
上記表３に記載の各成分を、それぞれ対応する比率で混合することにより、縮毛矯正用第２剤（毛髪処理剤）を調製した。
【００４３】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（実施例１３）
表４に記載の各成分を、それぞれ対応する比率で混合することにより、パーマネントウェーブ用第２剤（毛髪処理剤）を調製した。
【００４４】
また、表４に記載の各成分を、それぞれ対応する比率で混合することにより、パーマネントウェーブ用第１剤を調製した。
【００４５】
【表４】
0004851024.tif 000005
【００４６】
尚、表４のウェーブパーマ用第１剤におけるアンモニア水の配合量は、ウェーブパーマ用第１剤のＰＨを９．３とする量とした。
また、表４のウェーブパーマ用第２剤におけるクエン酸及びクエン酸ナトリウムの配合量は、ウェーブパーマ用第２剤のＰＨを６．０とする量とした。
【００４７】
そして、パーマネントウェーブ用第２剤とパーマネントウェーブ用第１剤との組み合わせを、パーマネントウェーブ用品（毛髪処理用品）とした。
（比較例１）
上記表３に記載の各成分を、それぞれ対応する比率で混合することにより、縮毛矯正用第２剤（毛髪処理剤）を調製した。
【００４８】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
（比較例２）
上記表３に記載の各成分を、それぞれ対応する比率で混合することにより、縮毛矯正用第２剤（毛髪処理剤）を調製した。
【００４９】
また、縮毛矯正用第１剤を、前記実施例１の縮毛矯正用第１剤と同様に調製した。
そして、縮毛矯正用第２剤と縮毛矯正用第１剤との組み合わせを、縮毛矯正用品（毛髪処理用品）とした。
【００５０】
ｂ）次に、本実施例１〜１３の毛髪処理剤（縮毛矯正用第２剤、パーマネントウェーブ用第２剤）及び毛髪処理用品（縮毛矯正用品、パーマネントウェーブ用品）の効果を説明する。
▲１▼本実施例１〜１３の毛髪処理剤は、１−ヒドロキシエタン−１，１−ジホスホン酸又はその塩（Ｃ成分）を含有するとともに、Ｂ成分の配合量が、毛髪処理剤全量に対し、０．００１〜１０重量％であることにより、パーマネントウェーブ効果や縮毛矯正効果が高く、尚かつ、経時的な着色が生じない。
【００５１】
従って、本実施例１〜１３の毛髪処理剤及び毛髪処理用品は、例えば、長期間保管した場合でも、製品の外観が損なわれることがない。
▲２▼本実施例１〜４及び実施例６〜１３の毛髪処理剤は、Ｃ成分の配合量が、０．０１重量％以上であることにより、毛髪処理剤の経時的な着色を防止する効果が一層高い。
【００５２】
▲３▼本実施例１〜５及び本実施例７〜１３の毛髪処理剤は、Ｃ成分の配合量が５重量％以下であることにより、パーマネントウェーブ効果や縮毛矯正効果が阻害されることが一層起こりにくい。
▲４▼本実施例１、２、９、１０の毛髪処理剤は、Ｂ成分の配合量とＣ成分の配合量との比率が、１：１〜１：５０の範囲にあることにより、毛髪処理剤の着色防止効果が一層高い。
【００５３】
▲５▼本実施例１、実施例３〜８、及び実施例１０〜１３の毛髪処理剤は、ＰＨが５〜７の範囲にあることにより、パーマネントウェーブ効果や縮毛矯正効果が一層高い。
ｃ）次に、本実施例１〜１２及び比較例１、２の縮毛矯正用第２剤及び縮毛矯正用品の効果を確かめるために行った試験について説明する。
【００５４】
▲１▼縮毛矯正用第２剤の着色具合の試験
縮毛矯正用第２剤を６０℃の環境下で１週間保管した後、着色具合を以下の基準で評価した。
＜評価基準＞
○：着色が認められない。
△：やや着色が認められた。
×：着色が認められた。
▲２▼縮毛矯正効果の試験
i)縮毛矯正用第１剤をナチュラルウェーブのあるコーカシアンヘアの毛束２ｇに塗布しコームスルーを行った後、室温で２０分間放置した。
【００５５】
ii)毛束を４０℃の温湯で充分洗浄し、縮毛矯正用第２剤を塗布しコームスルーした後、２０分間放置した。
iii)毛束を４０℃の温湯で再度洗浄し、乾燥した。
iv)上記のようにして縮毛矯正処理を行った毛束に関して、以下の評価基準で、縮毛矯正効果を評価した。
＜評価基準＞
○：くせ毛がしっかりと伸びている。
△：くせ毛が少し残っている。
×：くせ毛が殆ど伸びていない。
▲３▼前記▲１▼、▲２▼の試験の評価結果を表５に示す。
【００５６】
【表５】
0004851024.tif 000006
【００５７】
表５に示す様に、実施例１〜１２の縮毛矯正用第２剤の着色は、「認められない」（○）か、「やや認められた」（△）であった。
また、実施例１〜１２の縮毛矯正用品の縮毛矯正効果は、「くせ毛がしっかりと伸びている」（○）か、「くせ毛が少し残っている」（△）であった。
【００５８】
特に、実施例１及び実施例１０の毛髪処理用第２剤は、Ｃ成分の配合量が０．０１〜５重量％の範囲内にあることにより、Ｃ成分の配合量が０．００５重量％である実施例５に比べて、着色や縮毛矯正効果の点で一層優れており、Ｃ成分の配合量が７重量％である実施例６と比べて、縮毛矯正効果の点で一層優れている。
【００５９】
また、実施例１及び実施例１０の毛髪処理用第２剤は、Ｂ成分の配合量とＣ成分の配合量との比率が、１：１〜１：５０の範囲内にあることにより、この比率が上記範囲外である実施例４〜７に比べて、着色や縮毛矯正効果の点で一層優れている。
【００６０】
更に、実施例１及び実施例１０の毛髪処理用第２剤は、ＰＨが５〜７の範囲内にあることにより、ＰＨが７．５である実施例２及びＰＨが４．５である実施例９に比べて、縮毛矯正効果において一層優れている。
一方、比較例１は、Ｃ成分を含有せず、本発明の範囲外である例であり、着色が認められた。
【００６１】
また、比較例２は、Ｂ成分の配合量が１５重量％であり、本発明の範囲外である例であり、着色が認められ、縮毛矯正効果も低かった。
ｄ）次に、本実施例１３のパーマネントウェーブ用第２剤及びパーマネントウェーブ用品の効果を確かめるために行った試験について説明する。
【００６２】
▲１▼パーマネントウェーブ用第２剤の着色具合の試験
前記ｃ）▲１▼と同様にして、パーマネントウェーブ用第２剤の着色具合を試験した。
▲２▼パーマネントウェーブ効果の試験
i)毛髪をロッドに巻き、パーマネントウェーブ用１剤を塗布し１５分間放置した後、中間水洗してパーマネントウェーブ用１剤を洗い流す。そしてパーマネントウェーブ用２剤を毛髪に塗布し１５分間放置し、毛髪をロッドから外してから水洗する。
【００６３】
▲３▼前記▲１▼、▲２▼の試験結果
パーマネントウェーブ用２剤には着色は認められず、又、優れたパーマネントウェーブ効果が得られた。
尚、本発明は上記の形態に何等限定されるものではなく、本発明の要旨を逸脱しない範囲で種々の形態で実施することができる。